(57)【要約】【課題】ウエストサイズを計測（把握）することが可能な下着を提供する。【解決手段】下着本体１の伸縮可能なウエスト部２の周りに、可撓性長尺部材によって構成されたウエストサイズを計測するためのテープ状計測部材６を配設した下着である。また、テープ状計測部材６の一端部６ａにそれと反対側の他端部６ｂをその長さ方向の任意の位置で保持するための保持具７を取り付けた。さらに、テープ状計測部材６の他端部６ｂ側に所定のウエストサイズを示す印Ｍを配設すると共に、ウエスト部２にウエストサイズを示す印Ｍに対してウエストサイズを計測するための相対的位置を指し示すための指標Ｓを配設した。【選択図】図１
2010047852.tif 000002
【特許請求の範囲】
【請求項１】
下着本体の伸縮可能なウエスト部の周りに、可撓性長尺部材によって構成されたウエストサイズを計測するためのテープ状計測部材を配設したことを特徴とする下着。
【請求項２】
前記テープ状計測部材の一端部にそれと反対側の他端部をその長さ方向の任意の位置で保持可能な保持具を取り付け、前記テープ状計測部材の前記他端部側に所定のウエストサイズを示す印を配設すると共に、前記テープ状計測部材の前記一端部側、前記保持具又は前記ウエスト部に前記ウエストサイズを示す印に対してウエストサイズを計測するための相対的位置を指し示す指標を配設した請求項１に記載の下着。
【請求項３】
前記テープ状計測部材の両端部をそれぞれの長さ方向の任意の位置で合わせて保持可能な保持具を設け、前記テープ状計測部材の両端部側に所定のウエストサイズを示す印を対になるように配設すると共に、前記保持具又は前記ウエスト部に前記ウエストサイズを示す印に対してウエストサイズを計測するための相対的位置を指し示す指標を配設した請求項１に記載の下着。
【請求項４】
前記テープ状計測部材を前記ウエスト部の周りに２本並設し、一方の前記テープ状計測部材に所定のウエストサイズを示す印を付してサイズ表示テープを構成すると共に、他方の前記テープ状計測部材に前記ウエストサイズを示す印に対してウエストサイズを計測するための相対的位置を指し示す指標を付して指標テープを構成し、
前記サイズ表示テープの一端部を前記ウエスト部に固定すると共に、それと反対側の前記サイズ表示テープの他端部を前記ウエスト部に弾性伸縮部材を介して取り付け、前記サイズ表示テープの固定した一端部に対応する前記指標テープの一端部を前記ウエスト部に弾性伸縮部材を介して取り付けると共に、それと反対側の前記指標テープの他端部を前記ウエスト部に固定した請求項１に記載の下着。
【請求項５】
前記テープ状計測部材の一端部を前記ウエスト部に固定すると共に、それと反対側の前記テープ状計測部材の他端部を前記ウエスト部に弾性伸縮部材を介して取り付け、前記テープ状計測部材及び前記ウエスト部の一方に所定のウエストサイズを示す印を付すと共に、他方に前記所定のウエストサイズを示す印に対してウエストサイズを計測するための相対的位置を指し示す指標を付した請求項１に記載の下着。
【請求項６】
前記ウエストサイズを示す印は、少なくともメタボリックシンドロームの診断基準とされるウエストサイズを含むようにした請求項２から５のいずれか１項に記載の下着。
【請求項７】
前記テープ状計測部材を、可撓性長尺部材の表面に疎水性樹脂層を被覆して構成した請求項１から６のいずれか１項に記載の下着。
【発明の詳細な説明】
【技術分野】
【０００１】
本発明は、男性又は女性の下半身に着用する下着に関する。
【背景技術】
【０００２】
近年、内臓に脂肪が蓄積したことによる肥満が原因でさまざまな病気が引き起こされやすくなった状態をメタボリックシンドロームと称し、治療の対象として考えられるようになってきた。
【０００３】
現在、内臓脂肪の蓄積程度を示すウエストサイズ（ウエスト周囲）が、メタボリックシンドロームの診断基準の１つとされている。具体的には、男性ではウエストサイズが８５ｃｍ以上、女性ではウエストサイズが９０ｃｍ以上である場合、メタボリックシンドロームに該当する可能性が高いと診断される。
【０００４】
そのため、男女を問わずウエストサイズの測定に関心が高まっており、日常的にウエストサイズを測定できるものとして、メジャー付き下着サポータ（特許文献１参照）や目盛り付きベルト（特許文献２又は３参照）などが提案されている。
【特許文献１】実用新案登録第３１４０８９２号公報
【特許文献２】実用新案登録第３１３９０２４号公報
【特許文献３】実用新案登録第３１３９５９２号公報
【発明の開示】
【発明が解決しようとする課題】
【０００５】
しかしながら、人によっては下着サポータを身につける習慣がないため、メジャー付き下着サポータの着用には、抵抗や煩わしさを感じることがある。また、目盛り付きベルトは、目立ちやすいなどの理由によって使用が拒まれることが考えられる。
【０００６】
そこで、本発明は、斯かる実情に鑑みて、ウエストサイズを計測（把握）することが可能な下着を提供することを目的とする。
【課題を解決するための手段】
【０００７】
請求項１の発明は、下着本体の伸縮可能なウエスト部の周りに、可撓性長尺部材によって構成されたウエストサイズを計測するためのテープ状計測部材を配設した下着である。
【０００８】
下着着用者は、下着本体を着用したときにテープ状計測部材を使用することによって、自分のウエストサイズを計測（把握）することができる。
【０００９】
請求項２の発明は、請求項１に記載の下着において、前記テープ状計測部材の一端部にそれと反対側の他端部をその長さ方向の任意の位置で保持可能な保持具を取り付け、前記テープ状計測部材の前記他端部側に所定のウエストサイズを示す印を配設すると共に、前記テープ状計測部材の前記一端部側、前記保持具又は前記ウエスト部に前記ウエストサイズを示す印に対してウエストサイズを計測するための相対的位置を指し示す指標を配設したものである。
【００１０】
下着着用者は、下着本体を着用した後、テープ状計測部材の一端部に取り付けた保持具にそれと反対側の他端部を保持させて、テープ状計測部材でウエスト部を軽く締める。この状態で、下着着用者はウエストサイズを示す印に対して指標が指し示す位置を見ることにより、自分のウエストサイズを把握することができる。また、請求項２の発明の構造は簡単であるため、製造が容易である。
【００１１】
請求項３の発明は、請求項１に記載の下着において、前記テープ状計測部材の両端部をそれぞれの長さ方向の任意の位置で合わせるようにして保持可能な保持具を設け、前記テープ状計測部材の両端部側に所定のウエストサイズを示す印を対になるように配設すると共に、前記保持具又は前記ウエスト部に前記ウエストサイズを示す印に対してウエストサイズを計測するための相対的位置を指し示す指標を配設したものである。
【００１２】
下着着用者は、下着本体を着用した後、テープ状計測部材の両端部側に付されたウエストサイズを示す印同士を一致させるように、テープ状計測部材の両端部を保持具にて保持させ、テープ状計測部材でウエスト部を軽く締める。この状態で、下着着用者は、ウエストサイズを示す印に対して指標が指し示す位置を見ることにより、自分のウエストサイズを把握することができる。また、請求項３の発明の構造は簡単であるため、製造が容易である。
【００１３】
請求項４の発明は、請求項１に記載の下着において、前記テープ状計測部材を前記ウエスト部の周りに２本並設し、一方の前記テープ状計測部材に所定のウエストサイズを示す印を付してサイズ表示テープを構成すると共に、他方の前記テープ状計測部材に前記ウエストサイズを示す印に対してウエストサイズを計測するための相対的位置を指し示す指標を付して指標テープを構成し、前記サイズ表示テープの一端部を前記ウエスト部に固定すると共に、それと反対側の前記サイズ表示テープの他端部を前記ウエスト部に弾性伸縮部材を介して取り付け、前記サイズ表示テープの固定した一端部に対応する前記指標テープの一端部を前記ウエスト部に弾性伸縮部材を介して取り付けると共に、それと反対側の前記指標テープの他端部を前記ウエスト部に固定したものである。
【００１４】
下着着用者が下着本体を着用した際、ウエスト部の伸長に伴って、サイズ表示テープと指標テープの互いに反対側の端部に配設した弾性伸縮部材が伸長するため、サイズ表示テープと指標テープはウエスト部の周方向に互いに反対方向に移動する。そして、指標テープ及びサイズ表示テープの移動が停止したとき、下着着用者はウエストサイズを示す印に対して指標の指し示す位置を見ることにより、自分のウエストサイズを把握することができる。また、請求項４の発明は、下着本体を着脱する際のウエスト部の伸縮に対応してサイズ表示テープ及び指標テープが移動するようになっているので、下着着用者はウエストサイズを測定するためにサイズ表示テープ及び指標テープを操作する必要がなく、取り扱いが容易である。
【００１５】
請求項５の発明は、請求項１に記載の下着において、前記テープ状計測部材の一端部を前記ウエスト部に固定すると共に、それと反対側の前記テープ状計測部材の他端部を前記ウエスト部に弾性伸縮部材を介して取り付け、前記テープ状計測部材及び前記ウエスト部の一方に所定のウエストサイズを示す印を付すと共に、他方に前記所定のウエストサイズを示す印に対してウエストサイズを計測するための相対的位置を指し示す指標を付したものである。
【００１６】
下着着用者が下着本体を着用した際、ウエスト部の伸長に伴って、テープ状計測部材の端部に配設した弾性伸縮部材が伸長するため、テープ状計測部材はウエスト部の周方向に移動する。そして、テープ状計測部材の移動が停止したとき、下着着用者はウエストサイズを示す印に対して指標の指し示す位置を見ることにより、自分のウエストサイズを把握することができる。また、請求項５の発明は、下着本体を着脱する際のウエスト部の伸縮に対応してテープ状計測部材が移動するようになっているので、下着着用者はウエストサイズを測定するためにテープ状計測部材を操作する必要がなく、取り扱いが容易である。
【００１７】
請求項６の発明は、請求項２から５のいずれか１項に記載の下着において、前記ウエストサイズを示す印は、少なくともメタボリックシンドロームの診断基準とされるウエストサイズを含むようにしたものである。
【００１８】
これにより、下着着用者は、下着本体を着用したときに、ウエストサイズを示す印に対して指標の指し示す位置を見ることにより、メタボリックシンドロームに該当する可能性が高いか否かを把握することができる。
【００１９】
請求項７の発明は、請求項１から６のいずれか１項に記載の下着において、前記テープ状計測部材を、可撓性長尺部材の表面に疎水性樹脂層を被覆して構成したものである。
【００２０】
テープ状計測部材を、可撓性長尺部材の表面に疎水性樹脂層を被覆して構成することによって、テープ状計測部材を下着本体と一緒に洗濯しても、可撓性長尺部材に水が浸透するのを防止することができる。これにより、可撓性長尺部材に水が浸透して伸縮することがないため、ウエストサイズを示す印や指標の位置がずれるのを防止することが可能である。
【発明の効果】
【００２１】
本発明に係る下着を着用することによって、着用者は自分のウエストサイズを把握（計測）することができる。また、下着にウエストサイズを計測する機能を持たせたことによって、日常的に手軽にウエストサイズのチェックを行うことができるため、健康に対する意識が高まり、メタボリックシンドローム等の生活習慣病の改善や予防が期待できる。また、下着に配設されたテープ状計測部材は衣服の上からは見えないため、人目を気にせずに着用することができる。
【発明を実施するための最良の形態】
【００２２】
以下、本発明の実施の形態について、添付の図面を参照して説明する。図１〜図３に本発明に係る下着の第１実施形態を示す。図１は第１実施形態に係るトランクス型の男性用下着の正面図、図２は前記下着の背面図、図３は前記下着の要部拡大図である。
【００２３】
図１に示すように、トランクス型の下着本体１には、伸縮性のあるウエスト部２と、下半身を覆う被覆部３と、脚を挿通する一対の挿通部４によって構成されている。被覆部４の前面には、開閉可能な窓部５が形成されている。
【００２４】
ウエスト部２の周りには、ウエストサイズを計測するためのテープ状計測部材６が配設してある。テープ状計測部材６は、可撓性長尺部材によって構成されている。ここでいう可撓性長尺部材には、テープ状又は紐状の部材、あるいはその他の可撓性を有する長尺部材も含まれる。
【００２５】
図１及び図２に示すように、ウエスト部２には、その周方向に袋状部２０が形成され、袋状部２０内にテープ状計測部材６が周方向に移動可能に収容されている。このように、テープ状計測部材６を袋状部２０に収容することにより、テープ状計測部材６を外部から目立ちにくくすると共に、テープ状計測部材６をウエスト部２の周りに安定して取り付けている。また、袋状部２０は、ウエスト部２の正面側において開口部２０ａが２つ形成され、各開口部２０ａからテープ状計測部材６の両端部６ａ，６ｂが露出している。
【００２６】
テープ状計測部材６の一端部６ａには、それと反対側の他端部６ｂをその長さ方向に任意の位置で保持するための保持具７が取り付けてある。一方、テープ状計測部材６の前記他端部６ｂ側には、所定のウエストサイズを示す印として、数値付き目盛りＭが付されている。この実施形態は、目盛りＭを目立ちにくくするため、テープ状計測部材６の（ウエスト部２に対向する）裏面に目盛りＭを付しているが、目盛りＭをテープ状計測部材６の表側の面に付すことも可能である。
【００２７】
ウエスト部２には、目盛りＭに対してウエストサイズを計測するための相対的位置を指し示す逆三角形印の指標Ｓが付されている。この指標Ｓの形状は逆三角形の形状に限定されることはない。また、保持具７や、テープ状計測部材６の前記一端部６ａに指標Ｓを付してもよい（図示省略）。
【００２８】
図３はウエスト部２の正面を拡大した図である。図３に示すように、保持具７は、テープ状計測部材６の前記他端部６ｂを挿通させるための２つの挿通孔７０、７１を有する。また、保持具７の２つの挿通孔７０，７１の間に配設された中央の柱部７３に、ループ状に形成したテープ状計測部材６の前記一端部６ａが取り付けてある。
【００２９】
図３に示すように、テープ状計測部材６に付された目盛りＭは、少なくともメタボリックシンドロームの診断基準とされるウエストサイズを表示している。現在、メタボリックシンドロームの診断基準とされるウエストサイズは、男性ではウエストサイズが８５ｃｍであるため、この実施形態では、ウエストサイズとして７０ｃｍ〜９０ｃｍの範囲を表示している。
【００３０】
ただし、前記目盛りＭが示すウエストサイズは、一例である。例えば、７０ｃｍ〜９０ｃｍの範囲を越えてウエストサイズを表示してもよいし、メタボリックシンドロームの診断基準のウエストサイズ（８５ｃｍ）のみ表示してもよい。また、ウエストサイズの表示の仕方は、目盛りと数値によって表示する場合に限らない。例えば、テープ状計測部材６を色分けし、その色分けの境界線によってメタボリックシンドロームの診断基準のウエストサイズを表してもよい。また、メタボリックシンドロームの診断基準とされるウエストサイズを含まないウエストサイズによって、目盛りＭを構成することも可能である。
【００３１】
図４及び図５に本発明に係る下着の第２実施形態を示す。図４は第２実施形態に係る下着の正面図、図５は前記下着の要部拡大図である。
【００３２】
図４に示すように、ウエスト部２には、上記第１実施形態と同様に、その周方向に袋状部２０が形成されており、袋状部２０内にテープ状計測部材６が周方向に移動可能に収容されている。袋状部２０の正面側に２つの開口部２０ａが形成され、各開口部２０ａからテープ状計測部材６の両端部が露出している。
【００３３】
テープ状計測部材６の両端部６ａ，６ｂは、保持具７によって、それぞれの長さ方向に任意の位置で合わせて保持されるように構成されている。また、テープ状計測部材６の両端部６ａ，６ｂ側の裏面には、それぞれ所定のウエストサイズを示す印としての数値付き目盛りＭが付されている。
【００３４】
図５はウエスト部２の正面を拡大した図である。図５に示すように、テープ状計測部材６の両端部６ａ，６ｂ側に付された目盛りＭは、互いに対になっている。つまり、テープ状計測部材６の両端部６ａ，６ｂ側に、同じ目盛りＭが対称に付してある。保持具７は、テープ状計測部材６の両端部６ａ，６ｂを挿通するための３つの挿通孔７４，７５，７６を有する。この実施形態では、保持具７の中央の挿通孔７５が、目盛りＭに対してウエストサイズを計測するための位置を示す指標Ｓとしての役割を果たす。すなわち、テープ状計測部材６の中央の挿通孔７５に挿通させた位置が、目盛りＭに対するウエストサイズを計測する位置となる。なお、中央の挿通孔７５の上部正面などに、指標Ｓを示すマークを付してもよい。あるいは、保持具７に指標Ｓを付す代わりに、ウエスト部２に指標Ｓを付してもよい。
【００３５】
なお、図４及び図５において、上記説明した以外の符号の箇所は、図１及び図２に示す同一の符号の箇所と同様の構成となっているので説明を省略する。
【００３６】
図６〜図９に本発明に係る下着の第３実施形態を示す。図６は第３実施形態に係る下着の正面図、図７は前記下着の背面図、図８は前記下着の斜視図、図９は前記下着の要部拡大図である。
【００３７】
図６及び図８に示すように、ウエスト部２には、その周方向に袋状部２０が形成されており、袋状部２０内に２本のテープ状計測部材６，６が収容されている。各テープ状計測部材６，６は、袋状部２０内の上側と下側に並設してある。袋状部２０の正面側において形成された開口部２０ａからは、各テープ状計測部材６，６の一部が露出している。また、ウエスト部２の正面側には、２つのテープ通し１０，１０が取り付けられている。これらテープ通し１０，１０とウエスト部２の間の隙間を、各テープ状計測部材６，６が通っている。
【００３８】
図６及び図９に示すように、２本のテープ状計測部材６，６のうち、下側に配設したテープ状計測部材６の露出した表側の面に、所定のウエストサイズを示す印としての数値付き目盛りＭが付されている。一方、上側に配設したテープ状計測部材６の露出した表側の面には、目盛りＭに対してウエストサイズを計測するための相対的位置を指し示す逆三角形印の指標Ｓが付されている。以下、目盛りＭを付したテープ状計測部材６をサイズ表示テープ６１と呼び、指標Ｓを付したテープ状計測部材６を指標テープ６２と呼ぶことにする。なお、サイズ表示テープ６１と指標テープ６２は、上下方向に入れ替えて配設されていてもよい。
【００３９】
図７及び図８に示すように、サイズ表示テープ６１の両端部６１ａ，６１ｂと、指標テープ６２の両端部６２ａ，６２ｂは、ウエスト部２の背面側に取り付けられている。詳しくは、サイズ表示テープ６１の（図８の右側の）一端部６１ａは、ウエスト部２の背面の中央付近に固定されている。一方、それと反対側のサイズ表示テープ６１の（図８の左側の）他端部６１ｂは、ゴム等の弾性伸縮部材８を介してウエスト部２の背面の中央付近に取り付けられている。従って、サイズ表示テープ６１の他端部６１ｂは、弾性伸縮部材８の伸縮によって、ウエスト部２の周方向に移動可能となっている。
【００４０】
また、サイズ表示テープ６１の固定した一端部６１ａに対応する指標テープ６２の一端部６２ａは、弾性伸縮部材９を介してウエスト部２の背面の中央付近に取り付けられている。従って、指標テープ６２の一端部６２ａも、弾性伸縮部材９の伸縮によって、ウエスト部２の周方向に移動可能となっている。一方、それと反対側の指標テープ６２の他端部６２ｂは、ウエスト部２の背面の中央付近に固定されている。
【００４１】
なお、図６〜図９において、上記説明した以外の符号の箇所は、図１及び図２に示す同一の符号の箇所と同様の構成となっているので説明を省略する。
【００４２】
図１０及び図１１に本発明に係る下着の第４実施形態を示す。図１０は第４実施形態に係る下着の斜視図、図１１は前記下着の要部拡大図である。
【００４３】
図１０に示すように、ウエスト部２には、その周方向に袋状部２０が形成されており、袋状部２０内に１本のテープ状計測部材６が収容されている。袋状部２０の正面側において形成された開口部２０ａからは、テープ状計測部材６の一部が露出している。また、ウエスト部２の正面側には、２つのテープ通し１０，１０が取り付けられている。これらテープ通し１０，１０とウエスト部２の間の隙間を、テープ状計測部材６が通っている。
【００４４】
テープ状計測部材６の両端部６ａ，６ｂは、ウエスト部２の背面側に取り付けられている。詳しくは、テープ状計測部材６の（図１０の右側の）一端部６ａは、ウエスト部２の背面の中央付近に固定されている。一方、それと反対側のテープ状計測部材６の（図１０の左側の）他端部６ｂは、ゴム等の弾性伸縮部材１１を介してウエスト部２の背面の中央付近に取り付けられている。従って、テープ状計測部材６の他端部６ｂは、弾性伸縮部材１１の伸縮によって、ウエスト部２の周方向に移動可能となっている。
【００４５】
図１１はウエスト部２の正面を拡大した図である。図１１に示すように、テープ状計測部材６の露出した表側の面に、所定のウエストサイズを示す印としての数値付き目盛りＭが付されている。一方、ウエスト部２の正面側に、目盛りＭに対してウエストサイズを計測するための相対的位置を指し示す逆三角形印の指標Ｓが付されている。また、図１２に示すように、テープ状計測部材６に指標Ｓを付し、ウエスト部２に目盛りＭを付してもよい。
【００４６】
なお、図１０、図１１及び図１２において、上記説明した以外の符号の箇所は、図１及び図２に示す同一の符号の箇所と同様の構成となっているので説明を省略する。
【００４７】
また、図１３にテープ状計測部材６の拡大断面図を示す。図１３に示すように、テープ状計測部材６は、ポリエステルなどを材料としたテープ状の基材１２と、基材１２を被覆する疎水性の樹脂層１３によって構成されている。図示しない目盛りＭや指標Ｓは基材１２の表面に付されており、その上に樹脂層１３をコーティングしている。基材１２の全面を樹脂層１３でコーティングすることによって、基材１２に水が浸透することによる伸縮を防止するようにしている。
【００４８】
以下、本発明に係る下着の使用方法について説明する。
まず、図１〜図３で説明した第１実施形態に係る下着の使用方法について説明する。
下着着用者が本発明に係る下着（下着本体）を着用した後、図１４（Ａ）に示すように、テープ状計測部材６の端部６ｂを保持具７の２つの通気孔７０，７１に挿通する。そして、テープ状計測部材６の端部６ｂを引っ張って軽く締め、図１４（Ｂ）に示すように、その端部６ｂを折り返して、再び保持具７の挿通孔７０に挿通する。このようにして、テープ状計測部材６がウエスト部２の周りに緩まない状態で保持具７に保持させる。テープ状計測部材６の端部６ｂを折り返したことにより、端部６ｂの裏面に付された目盛りＭが表側に現れる。下着着用者は、この目盛りＭに対して指標Ｓが指し示す箇所を読み取ることによって、自分のウエストサイズを把握することができる。例えば、指標Ｓが目盛りＭの８５ｃｍを越えた位置を指し示している場合は、メタボリックシンドロームに該当する可能性が高いということがわかる。
【００４９】
次に、図４及び図５で説明した第２実施形態に係る下着の使用方法について説明する。
下着着用者が本発明に係る下着（下着本体）を着用した後、図１５（Ａ）に示すように、テープ状計測部材６の両端部６ａ，６ｂを、保持具７の中央の挿通孔７５に挿通する。なお、テープ状計測部材６の両端部６ａ，６ｂは、予め保持具７の中央の挿通孔７５に挿通されていてもよい。次いで、保持具７又はテープ状計測部材６の位置を適宜動かして、テープ状計測部材６の両端部６ａ，６ｂに付された同じ目盛りＭ同士を一致させる。そして、テープ状計測部材６の両端部６ａ，６ｂを引っ張って軽く締め、図１５（Ｂ）に示すように、テープ状計測部材６の両端部６ａ，６ｂをそれぞれ折り返して保持具７の図の左側及び右側の挿通孔７４，７６に挿通する。このようにして、テープ状計測部材６がウエスト部２の周りに緩まない状態で保持具７に保持させる。下着着用者は、指標Ｓとして機能する中央の挿通孔７５の位置において、一致させた目盛りＭを読み取ることによって、自分のウエストサイズを把握することができる。
【００５０】
以下、図６〜図９で説明した第３実施形態に係る下着の使用方法について説明する。
下着着用者が本発明に係る下着（下着本体）を着用した際、下着のウエスト部２が伸長すると、サイズ表示テープ６１と指標テープ６２は、ウエスト部２の周方向に互いに反対方向に移動する。
【００５１】
詳しくは、図８において、ウエスト部２の伸長に伴って、サイズ表示テープ６１の図の左端部６１ｂに付設した弾性伸縮部材８が伸長するため、サイズ表示テープ６１は、ウエスト部２の正面の中央に対して図の右側に移動する。一方、ウエスト部２の伸長に伴って、指標テープ６２の図の右端部６２ａに付設した弾性伸縮部材９が伸長するため、指標テープ６２は、ウエスト部２の正面の中央に対して図の左側に移動する。
【００５２】
図１６に示すように、サイズ表示テープ６１と指標テープ６２が互いに反対方向に移動することにより、指標Ｓと目盛りＭが互いに反対方向に移動する。そして、指標テープ６２及びサイズ表示テープ６１の移動が停止したとき、下着着用者は指標Ｓが指し示す目盛りＭを読み取ることにより、自分のウエストサイズを把握することができる。その後、下着を脱いだ場合は、弾性伸縮部材８，９が収縮することによって、サイズ表示テープ６１と指標テープ６２は元の位置に戻される。
【００５３】
以下、図１０及び図１１で説明した第４実施形態に係る下着の使用方法について説明する。
下着着用者が本発明に係る下着（下着本体）を着用した際、下着のウエスト部２が伸長すると、図１０に示すテープ状計測部材６の左端部６ｂに付設した弾性伸縮部材１１が伸長するため、テープ状計測部材６は、ウエスト部２の正面の中央に対して図の右側に移動する。
【００５４】
図１７に示すように、テープ状計測部材６が図の右側に移動することにより、テープ状計測部材６に付した目盛りＭが、ウエスト部２に付した指標Ｓに対して相対的に移動する。そして、テープ状計測部材６の移動が停止したとき、下着着用者は指標Ｓが指し示す目盛りＭを読み取ることにより、自分のウエストサイズを把握することができる。その後、下着を脱いだ場合は、弾性伸縮部材１１が収縮することによって、テープ状計測部材６は元の位置に戻される。
【００５５】
また、図１２に示すように、テープ状計測部材６に指標Ｓを付し、ウエスト部２に目盛りＭを付している場合は、下着（下着本体）を着用した際、上記と同様にテープ状計測部材６が移動することによって、図１８に示す如く指標Ｓが目盛りＭに対して相対的に移動する。そして、テープ状計測部材６の移動が停止したとき、下着着用者は指標Ｓが指し示す目盛りＭを読み取ることにより、自分のウエストサイズを把握することができる。
【００５６】
また、図１に示す第１実施形態に係る下着や、図４に示す第２実施形態に係る下着は、構造が簡単であるため、製造が容易である。一方、図６に示す第３実施形態に係る下着や、図１０に示す第４実施形態に係る下着は、テープ状計測部材６（サイズ表示テープ６１及び指標テープ６２）の各端部に弾性伸縮部材を付設したことにより、下着本体を着脱する動作に対応してテープ状計測部材６が移動するので、下着着用者がウエストサイズを測定するためにテープ状計測部材６を操作する必要がなく取り扱いが容易となる。
【００５７】
以上のように、本発明に係る下着を着用することによって、着用者は自分のウエストサイズを把握（計測）することができる。下着にウエストサイズを計測する機能を持たせたことによって、日常的に手軽にウエストサイズのチェックを行うことができるため、健康に対する意識が高まり、メタボリックシンドローム等の生活習慣病の改善や予防が期待できる。また、下着に配設されたテープ状計測部材６は衣服の上からは見えないため、人目を気にせずに着用することができる。
【００５８】
また、図１３で説明したように、テープ状計測部材６を、テープ状の基材１２と、基材１２を被覆する疎水性の樹脂層１３によって構成することによって、テープ状計測部材６を下着本体と一緒に洗濯しても、基材１２に水が浸透するのを防止することができる。これにより、基材１２に水が浸透して伸縮することがないため、目盛りＭや指標Ｓの位置がずれるのを防止することが可能である。
【００５９】
なお、上述の本発明の各実施形態に係る下着は、トランクス型ものを適用しているが、本発明はこれに限定されず、本発明をブリーフ型の下着又はその他の男性用下着、あるいは女性用の下着等に適用してもよいのは勿論である。
【図面の簡単な説明】
【００６０】
【図１】本発明の第１実施形態に係る下着の正面図である。
【図２】前記下着の背面図である。
【図３】前記下着のウエスト部を拡大した要部拡大図である。
【図４】本発明の第２実施形態に係る下着の正面図である。
【図５】前記下着のウエスト部を拡大した要部拡大図である。
【図６】本発明の第３実施形態に係る下着の正面図である。
【図７】前記下着の背面図である。
【図８】前記下着の斜視図である。
【図９】前記下着のウエスト部を拡大した要部拡大図である。
【図１０】本発明の第４実施形態に係る下着の斜視図である。
【図１１】前記下着のウエスト部を拡大した要部拡大図である。
【図１２】本発明の第４実施形態に係る下着の変形例の要部拡大図である。
【図１３】本発明に係る下着に配設したテープ状計測部材の構成を示す拡大断面図である。
【図１４】本発明の第１実施形態に係る下着の使用方法を説明するための図である。
【図１５】本発明の第２実施形態に係る下着の使用方法を説明するための図である。
【図１６】本発明の第３実施形態に係る下着の使用方法を説明するための図である。
【図１７】本発明の第４実施形態に係る下着の使用方法を説明するための図である。
【図１８】本発明の第４実施形態に係る下着の変形例の使用方法を説明するための図である。
【符号の説明】
【００６１】
１      下着本体
２      ウエスト部
６      テープ状計測部材
６ａ    端部
６ｂ    端部
７      保持具
８      弾性伸縮部材
９      弾性伸縮部材
１１    弾性伸縮部材
１２    基材
１３    疎水性樹脂層
６１    サイズ表示テープ
６１ａ  端部
６１ｂ  端部
６２    指標テープ
６２ａ  端部
６２ｂ  端部
Ｍ      目盛り
Ｓ      指標
【図１】
2010047852.tif 000003
【図２】
2010047852.tif 000004
【図３】
2010047852.tif 000005
【図４】
2010047852.tif 000006
【図５】
2010047852.tif 000007
【図６】
2010047852.tif 000008
【図７】
2010047852.tif 000009
【図８】
2010047852.tif 000010
【図９】
2010047852.tif 000011
【図１０】
2010047852.tif 000012
【図１１】
2010047852.tif 000013
【図１２】
2010047852.tif 000014
【図１３】
2010047852.tif 000015
【図１４】
2010047852.tif 000016
【図１５】
2010047852.tif 000017
【図１６】
2010047852.tif 000018
【図１７】
2010047852.tif 000019
【図１８】
2010047852.tif 000020